(57)【要約】【課題】ＣＣＤにおいて色混ざりを生じることなく水平加算を行うとともに、水平方向の画素加算数や、加算画素の位置関係を自由に設定する。【解決手段】入射光を光電変換する、２次元状に多数配列された受光素子１０１と、受光素子１０１により光電変換された電荷を垂直方向に転送する垂直転送路１０２と、垂直転送路１０２により転送された電荷を１行ずつ水平方向に転送する水平転送路１０３とを備えた撮像素子１２の駆動方法において、水平転送路１０３により水平転送された電荷を分岐部１０４により複数方向に分岐して出力し、その分岐された電荷をバッファ部１０５a，１０５ｂによりそれぞれ転送するととともに、その電荷の転送を画素加算用バッファ１０７ａ，１０７ｂにおいて一時的に停止することによって複数の電荷を加算する。【選択図】図３
2008244738.tif 000002
【特許請求の範囲】
【請求項１】
入射光を光電変換する２次元状に多数配列された受光素子と、該受光素子により光電変換された電荷を垂直方向に転送する垂直転送路と、該垂直転送路により転送された電荷を１行ずつ水平方向に転送する水平転送路と、前記水平転送路により水平転送された電荷を複数方向に分岐して出力する分岐部と、該分岐部により分岐された電荷をそれぞれ転送するととともに、該電荷の転送を一時的に停止することによって複数の電荷を加算可能な複数のバッファ部とを有する撮像素子と、
前記バッファ部において加算する電荷の数に応じて前記バッファ部の電荷の転送を一時的に停止する駆動制御部とを備えたことを特徴とする撮像装置。
【請求項２】
前記撮像素子が、前記バッファ部によって加算された電荷を、該電荷の加算数に応じた駆動周波数で転送する水平転送部と、該水平転送部により転送された電荷を増幅して出力する出力部とを有し、
前記駆動制御部が、前記水平転送部および前記出力部を前記駆動周波数で駆動するものであることを特徴とする請求項１記載の撮像装置。
【請求項３】
前記撮像素子が、ベイヤー配列されたカラーフィルターを有し、
前記分岐部が、前記水平転送された電荷を２方向に分岐して出力するものであることを特徴とする請求項１または２記載の撮像装置。
【請求項４】
前記多数の受光素子が、行方向および列方向ともに１つ置きに位置を１／２ピッチずらしたハニカム状に配列されていることを特徴とする請求項１または２記載の撮像装置。
【請求項５】
前記撮像素子が、ハニカム配列されたカラーフィルターを有し、
前記分岐部が、前記水平転送された電荷を２方向に分岐して出力するものであることを特徴とする請求項４記載の撮像装置。
【請求項６】
前記分岐部の前の前記水平転送路に横型オーバーフロードレインが設けられていることを特徴とする請求項１から５いずれか１項記載の撮像装置。
【請求項７】
前記分岐部の後の前記複数のバッファ部にそれぞれ横型オーバーフロードレインが設けられていることを特徴とする請求項１から５いずれか１項記載の撮像装置。
【請求項８】
入射光を光電変換する、２次元状に多数配列された受光素子と、該受光素子により光電変換された電荷を垂直方向に転送する垂直転送路と、該垂直転送路により転送された電荷を１行ずつ水平方向に転送する水平転送路とを備えた撮像素子の駆動制御方法において、
前記水平転送路により水平転送された電荷を複数方向に分岐して出力し、
該分岐された電荷をそれぞれ転送するととともに、該電荷の転送を一時的に停止することによって複数の電荷を加算することを特徴とする撮像素子の駆動制御方法。
【請求項９】
前記撮像素子を、前記バッファ部によって加算された電荷を、該電荷の加算数に応じた駆動周波数で転送する水平転送部と、該水平転送部により転送された電荷を増幅して出力する出力部とを有するものとし、
前記水平転送部および前記出力部を前記駆動周波数で駆動することを特徴とする請求項８記載の撮像素子の駆動制御方法。
【請求項１０】
前記撮像素子を、ベイヤー配列されたカラーフィルターを有するものとし、
前記水平転送された電荷を２方向に分岐して出力することを特徴とする請求項８または９記載の撮像素子の駆動制御方法。
【請求項１１】
前記多数の受光素子を、行方向および列方向ともに１つ置きに位置を１／２ピッチずらしたハニカム状に配列することを特徴とする請求項８または９記載の撮像装置。
【請求項１２】
前記撮像素子を、ハニカム配列されたカラーフィルターを有するものとし、
前記水平転送された電荷を２方向に分岐して出力することを特徴とする請求項１１記載の撮像素子の駆動制御方法。
【発明の詳細な説明】
【技術分野】
【０００１】
本発明は、ＣＣＤなどの撮像素子を有する撮像装置および撮像素子の駆動制御方法に関するものである。
【背景技術】
【０００２】
従来、デジタルスチルカメラ等の撮像装置においては、撮像素子として、電荷結合素子であるＣＣＤ（Ｃｈａｒｇｅ  Ｃｏｕｐｌｅｄ  Ｄｅｖｉｃｅ）が広く用いられている。このＣＣＤは、フォトダイオードなどの受光素子を有し、各受光素子が光量に応じた電荷を蓄積し、その蓄積した電荷が垂直転送路および水平転送路を介して読み出されるものである。
【０００３】
ここで、上記のようなＣＣＤ内において水平画素加算を実現するために、水平転送を停止して隣り合う画素を加算したり（たとえば、特許文献２参照）、垂直転送路から水平転送路への転送の間に、バッファとなる転送路を入れたり（たとえば、特許文献６参照）、ラインメモリを入れて、垂直転送ブランキング期間に水平転送路を少しずつ駆動させるようにしていた（たとえば、特許文献４、特許文献８参照）。
【特許文献１】特開平５−４１８３５号公報
【特許文献２】特開平６−７８１０１号公報
【特許文献３】特開２０００−５０２８９号公報
【特許文献４】特開２００３−２６４８４４号公報
【特許文献５】特開２００６−３３１２９号公報
【特許文献６】特開平１１−２３４５６９号公報
【特許文献７】特開２００６−１２９１３７号公報
【特許文献８】特開２００２−１１２１１９号公報
【特許文献９】特開２００１−３０９３９４号公報
【発明の開示】
【発明が解決しようとする課題】
【０００４】
しかしながら、従来の水平画素加算の方式では、水平方向に隣り合う画素しか加算できないため、水平方向に隣り合う画素が異なる色である場合に、色が混ざるという問題があった。一方、色が混ざるのを防ぐように設計したＣＣＤでは、水平公報の画素加算数、加算画素の位置関係などが決まっており、出力される画像の自由度が少ない。また、水平加算を実現するための駆動方法が複雑であるという問題があった。
【０００５】
本発明は、上記の事情に鑑み、上記のような色混ざりを生じることなく水平加算を行うことができるとともに、水平方向の画素加算数や、加算画素の位置関係を自由に設定することができる撮像装置および撮像素子の駆動制御方法を提供することを目的とする。
【課題を解決するための手段】
【０００６】
本発明の撮像装置は、入射光を光電変換する２次元状に多数配列された受光素子と、該受光素子により光電変換された電荷を垂直方向に転送する垂直転送路と、垂直転送路により転送された電荷を１行ずつ水平方向に転送する水平転送路と、水平転送路により水平転送された電荷を複数方向に分岐して出力する分岐部と、分岐部により分岐された電荷をそれぞれ転送するととともに、その電荷の転送を一時的に停止することによって複数の電荷を加算可能な複数のバッファ部とを有する撮像素子と、バッファ部において加算する電荷の数に応じてバッファ部の電荷の転送を一時的に停止する駆動制御部とを備えたことを特徴とする。
【０００７】
また、上記本発明の撮像装置においては、撮像素子を、バッファ部によって加算された電荷を、その電荷の加算数に応じた駆動周波数で転送する水平転送部と、水平転送部により転送された電荷を増幅して出力する出力部とを有するものとし、駆動制御部を、水平転送部および出力部を駆動周波数で駆動するものとすることができる。
【０００８】
また、撮像素子を、ベイヤー配列されたカラーフィルターを有するものとし、分岐部を、水平転送された電荷を２方向に分岐して出力するものとすることができる。
【０００９】
また、多数の受光素子を、行方向および列方向ともに１つ置きに位置を１／２ピッチずらしたハニカム状に配列するようにすることができる。
【００１０】
また、撮像素子を、ハニカム配列されたカラーフィルターを有するものとし、分岐部を、水平転送された電荷を２方向に分岐して出力するものとすることができる。
【００１１】
また、分岐部の前の水平転送路に横型オーバーフロードレインが設けるようにすることができる。
【００１２】
また、分岐部の後の複数のバッファ部にそれぞれ横型オーバーフロードレインが設けるようにすることができる。
【００１３】
本発明の撮像素子の駆動制御方法は、入射光を光電変換する、２次元状に多数配列された受光素子と、受光素子により光電変換された電荷を垂直方向に転送する垂直転送路と、垂直転送路により転送された電荷を１行ずつ水平方向に転送する水平転送路とを備えた撮像素子の駆動方法において、水平転送路により水平転送された電荷を複数方向に分岐して出力し、その分岐された電荷をそれぞれ転送するととともに、その電荷の転送を一時的に停止することによって複数の電荷を加算することを特徴とする。
【００１４】
また、上記本発明の撮像素子の駆動制御方法においては、撮像素子を、バッファ部によって加算された電荷を、その電荷の加算数に応じた駆動周波数で転送する水平転送部と、水平転送部により転送された電荷を増幅して出力する出力部とを有するものとし、水平転送部および出力部を駆動周波数で駆動するようにすることができる。
【００１５】
また、撮像素子を、ベイヤー配列されたカラーフィルターを有するものとし、水平転送された電荷を２方向に分岐して出力するようにすることができる。
【００１６】
また、多数の受光素子を、行方向および列方向ともに１つ置きに位置を１／２ピッチずらしたハニカム状に配列するようにすることができる。
【００１７】
また、撮像素子を、ハニカム配列されたカラーフィルターを有するものとし、水平転送された電荷を２方向に分岐して出力するようにすることができる。
【発明の効果】
【００１８】
本発明の撮像装置および撮像素子の駆動制御方法によれば、撮像素子の水平転送路により水平転送された電荷を複数方向に分岐して出力し、その分岐された電荷をそれぞれ転送するととともに、その電荷の転送を一時的に停止することによって複数の電荷を加算するようにしたので、水平転送路に、たとえば、２色の画素データがあるとしても、それぞれ色毎に分岐して転送し、その転送を一時的に停止することによって画素データを色毎に加算することができる。また、水平方向の画素加算数や、加算画素の位置関係を自由に設定することができる。
【００１９】
また、上記本発明の撮像装置および撮像素子の駆動制御方法において、水平転送部および出力部を電荷の加算数に応じた駆動周波数で駆動するようにした場合には、画素の加算数に応じて駆動周波数を落とすことができるため、出力部でのノイズの発生を抑制することができる。
【００２０】
また、撮像素子を、ベイヤー配列されたカラーフィルターを有するものとし、水平転送された電荷を２方向に分岐して出力するようにした場合には、ベイヤー配列のカラーフィルターを有する撮像素子において自由な画素数分だけ水平加算することができる。
【００２１】
また、撮像素子を、ハニカム配列されたカラーフィルターを有するものとし、水平転送された電荷を２方向に分岐して出力するようにした場合には、ハニカム配列のカラーフィルターを有する撮像素子において自由な画素数分だけ水平加算することができる。
【００２２】
また、分岐部の前の水平転送路に横型オーバーフロードレインを設けるようにした場合には、電荷を加算することによってバッファ部の電荷飽和容量を上回り、ブルーミングが生じるのを防止することができる。
【００２３】
また、分岐部の後の複数のバッファ部にそれぞれ横型オーバーフロードレインを設けるようにした場合には、電荷を加算することによってバッファ部の電荷飽和容量を上回り、ブルーミングが生じるのを防止することができる。
【発明を実施するための最良の形態】
【００２４】
以下、図面を参照して本発明の撮像装置の一実施形態を用いたデジタルカメラについて説明する。まず、図１に、デジタルカメラの電気的構成を示すブロック図を示す。図２に、デジタルカメラのおけるＣＣＤ１２の概略構成図を示す。まず、本発明の特徴であるＣＣＤ１２について説明する。
【００２５】
ＣＣＤ１２は、図２に示すように、入射光を光電変換する２次元状に多数配列されたフォトダイオード１０１、フォトダイオード１０１により光電変換された電荷を垂直方向に転送する垂直転送路１０２と、垂直転送路１０２により転送された電荷を１行ずつ水平方向に転送する水平転送路１０３と、水平転送路１０３により水平転送された電荷を２方向に分岐して出力する分岐部１０４と、分岐部１０４により分岐された電荷をそれぞれ転送するととともに、その電荷の転送を一時的に停止することによって複数の電荷を加算可能な２つのバッファ部１０５ａ，１０５ｂと、バッファ部１０５ａ，１０５ｂの最下段に設けられ、電荷信号を増幅するアンプ１０６ａ，１０６ｂとを備えている。
【００２６】
フォトダイオード１０１の受光領域上には、図２に示すように、赤色の光成分を透過する赤色フィルタと、青色の光成分を透過する青色フィルタと、緑色の光成分を透過する緑色フィルタとがベイヤー配列で設けられている。
【００２７】
バッファ部１０５ａ，１０５ｂには、電荷の転送を一時停止するとともに、電荷を加算する画素加算用バッファ１０７ａ，１０７ｂが設けられている。
【００２８】
次に、上記ＣＣＤ１２の動作について説明する。
【００２９】
上記ＣＣＤ１２に光が入射すると、その光はフォトダイオード１０１によって受光され、光電変換される。そして、フォトダイオード１０１によって光電変換された電荷は、駆動回路２２から駆動信号に応じて、垂直転送路１０２に掃き出される。そして、垂直転送路１０２に掃き出された電荷は、１行ずつ水平転送路１０３に転送される。そして、水平転送路１０３に転送された電荷は、駆動回路２２からの駆動信号に応じて、１つずつ分岐部１０４に向かって転送される。
【００３０】
ここで、水平転送路１０３に転送された１行分の電荷の水平方向への転送について説明する。図３（Ａ）〜（Ｘ）は、１行分の電荷を１つずつアンプ１６に向けて転送する過程を示している。
【００３１】
図３（Ａ）に示すように、まず、緑色フィルタと赤色フィルタが水平方向に交互に並んだ行の電荷が水平転送路１０３に転送される。そして、図３（Ａ）から図３（Ｃ）に示すように、１行の電荷が分岐部１０４まで転送される。そして、分岐部１０４まで転送された緑色フィルタの電荷は、図３（Ｄ）に示すように、一方のバッファ部１０５ａに転送される。そして、次に分岐部１０４まで転送された赤色フィルタの電荷は、図３（Ｆ）に示すように、他方のバッファ部１０５ｂに転送される。そして、画素加算用バッファ１０７ａまで緑色フィルタの電荷が到達すると、画素加算用バッファ１０７ａにおいて緑色フィルタの電荷の転送が一時停止される。そして、同様に、画素加算用バッファ１０７ｂまで赤色フィルタの電荷が到達すると、画素加算用バッファ１０７ｂにおいて赤色フィルタの電荷の転送が一時停止される。そして、図３（Ｇ）から図３（Ｉ）に示すように、２番目の緑色フィルタの電荷が、分岐部１０４を通過して画素加算用バッファ１０７ａに到達すると、画素加算用バッファ１０７ａに一時停止しておいた１番目の緑色フィルタの電荷と２番目の緑色フィルタの電荷とが加算される。そして、その加算した電荷が再びアンプ１０６aに向かって転送される。そして、同様に、２番目の赤色フィルタの電荷が、分岐部１０４を通過して画素加算用バッファ１０７ｂに到達すると、画素加算用バッファ１０７ｂに一時停止しておいた１番目の赤色フィルタの電荷と２番目の赤色フィルタの電荷とが加算される。そして、その加算した電荷が再びアンプ１０６ｂに向かって転送される。
【００３２】
そして、その後の電荷についても、上記と同様に、緑色フィルタの電荷は分岐部１０４でバッファ部１０５ａに転送されるとともに、赤色フィルタの電荷は分岐部１０４でバッファ１０５ｂに転送され、バッファ部１０４ａの画素加算用バッファ１０７ａで緑色フィルタの電荷を一時停止することによって２つ分の緑色フィルタの電荷が加算されるとともに、バッファ部１０４ｂの画素加算用バッファ１０７ｂで赤色フィルタの電荷を一時停止することによって２つの分の赤色フィルタの電荷が加算される。そして、２つの緑色フィルタの電荷を加算した電荷がアンプ１０６ａにより増幅されて出力されるとともに、２つの赤色フィルタの電荷を加算した電荷がアンプ１０６ｂにより増幅されて出力される。
【００３３】
上記のようにして１行分の電荷が転送され、複数画素加算した電荷を色毎に得ることができる。なお、上記説明においては、分岐部１０４により２方向に分岐するようにしたが、たとえば、分岐部により３方向に分岐するようにすれば、３色の電荷信号を色毎に加算することが可能である。
【００３４】
ここで、上記のようにして１行分の電荷を転送する際、図４に示すように、水平転送路１０３を６４ＭＨｚの駆動周波数で駆動するようにした場合、分岐部１０４から画素加算用バッファ１０７ａ，１０７ｂまでの間のバッファ部１０５ａ，１０５ｂは、水平転送路１０３の駆動周波数の１／２の３２ＭＨｚで駆動するようにすることができる。そして、さらに、画素加算用バッファ１０７ａ，１０７ｂで２画素の電荷を加算する場合には、画素加算用バッファ１０７ａ，１０７ｂからアンプ１０６ａ，１０６ｂまでの間のバッファ部１０５ａ，１０５ｂおよびアンプ１０６ａ，１０６ｂは、さらに１／２の駆動周波数の１６ＭＨｚで駆動するようにすることができる。上記のように駆動周波数を変化させることにより、６４ＭＨｚという高速な読み出しであるにもかかわらず、アンプ１０６ａ，１０６ｂは低駆動周波数で駆動させることができ、アンプの低ノイズ化を図ることができる。
【００３５】
図５に、上記のような駆動周波数で水平転送路１０３およびバッファ部１０５ａ，１０５ｂを駆動する場合のポテンシャル図を示す。Ｈ１およびＨ２は、水平転送路１０３を駆動するための電極であり、ＨＳＥＰＡＲＡＴＥは、分岐部１０４を駆動するための電極であり、Ｈｕ１およびＨｕ２は、分岐部１０４から画素加算用バッファ１０７ａまでの間のバッファ部１０５ａを駆動するための電極であり、Ｈｄ１およびＨｄ２は、分岐部１０４から画素加算用バッファ１０７ｂまでの間のバッファ部１０５ｂを駆動するための電極であり、ＨｕＳＴＯＰは、画素加算用バッファ１０７ａを駆動するための電極であり、ＨｄＳＴＯＰは、画素加算用バッファ１０７ｂを駆動するための電極であり、Ｈｕ１ＳＬＯＷおよびＨｕ２ＳＬＯＷは、画素加算用バッファ１０７ａからアンプ１０６ａまでの間のバッファ部１０５ａを駆動するための電極であり、Ｈｄ１ＳＬＯＷおよびＨｄ２ＳＬＯＷは、画素加算用バッファ１０７ｂからアンプ１０６ｂまでの間のバッファ部１０５ｂを駆動するための電極である。
【００３６】
また、図５に示すような電極を駆動させるための駆動信号のタイミングチャートを図６に示す。例として、赤と緑の画素の電荷がどのタイミングでどの位置にいるかを示している。分岐部１０４のＨＳＥＰＡＲＡＴＥで、画素を１画素毎に２つのバッファ部１０５ａ，１０５ｂ（Ｈｕ／Ｈｄ）に振り分け、その後、ＨｕＳＴＯＰ，ＨｄＳＴＯＰで２画素の電荷を加算する。なお、図６に示すような駆動信号は、駆動回路２２から出力される。
【００３７】
また、上記説明では、２画素の電荷を加算する場合の駆動方法を説明したが、図７に示すように、ポテンシャルを変化させて駆動することにより３画素の電荷を加算することができる。同様に、４画素、５画素、またはＮ画素加算することが可能である。
【００３８】
また、上記のように水平方向に画素の電荷を加算するだけでなく、垂直方向にも画素の電荷を加算するようにしてもよい。垂直方向に２画素間引き２画素加算をした場合、水平方向に２分岐２画素加算するようにすれば、図８の太枠で示した通り、水平方向と垂直方向とで解像度のバランスを保ったまま画素加算を行うことができる。
【００３９】
また、上記のようにして複数の画素の電荷を加算する場合、その加算によってバッファ部１０５ａ，１０５ｂの電荷飽和容量がオーバーしてしまう可能性がある。そこで、図９に示すように、分岐部１０４の前の水平転送路１０３に横型オーバーフロードレインを設けるようにしてもよい。
【００４０】
また、図１４に示すように、分岐部１０４の後で画素加算用バッファ１０７ａ，１０７ｂの前のバッファ部１０５ａ，１０５ｂにそれぞれ横型オーバーフロードレイン１０９ａ，１０９ｂを設けるようにしてもよい。
【００４１】
また、上記説明では、ベイヤー配列のカラーフィルターを有するＣＣＤについて説明したが、図１１に示すようなハニカム配列のカラーフィルターを有するＣＣＤについても上記と同様の駆動を行うことができる。図１１に示すＣＣＤにおいては、フォトダイオード１０１が、行方向および列方向ともに１つ置きに位置を１／２ピッチずらしたハニカム状に配列されている。そして、ハニカム配列のカラーフィルターを有するＣＣＤの場合には、緑色フィルタの行、青色フィルタと赤色フィルタがこの順で交互に配置された行、または赤色フィルタと青色フィルタがこの順で交互に配置された行が読み出される。緑色フィルタの行を分岐部１０４によって分岐して加算するようにした場合には、飛び飛びの位置関係の画素の電荷を加算することができる。
【００４２】
次に、上述したＣＣＤ１２を備えたデジタルカメラの動作を説明する。
【００４３】
デジタルカメラの全体の動作は、ＣＰＵ２３によって統括される。
【００４４】
デジタルカメラには、駆動回路２２が含まれている。この駆動回路２２によって垂直転送路１０２、水平転送路１０３、分岐部１０４、バッファ部１０５ａ，１０５ｂ、画素加算用バッファ１０７ａ，１０７ｂ、およびアンプ１０６ａ，１０６ｂを駆動する信号が生成され、ＣＣＤ１２に与えられる。また、その他のクロックパルスも生成され、駆動回路２２から各回路に与えられる。
【００４５】
また、デジタルカメラには、モードを設定するためのスイッチ等を含む操作スイッチ２４が設けられており、その操作スイッチ２４からの信号およびシャッタスイッチ２５からの信号は、ＣＰＵ２３に入力される。
【００４６】
さらに、デジタルカメラには、ストロボ撮影が可能なようにストロボ２１が設けられている。
【００４７】
デジタルカメラに用いられるＣＣＤ１２は、上述した構成のものが用いられる。
【００４８】
撮影モードにおいては、ズームレンズ３１によって被写体像がシャッタおよび絞り１１を介してＣＣＤ１２の受光面上に結像する。そして、上述したようにＣＣＤ１２において複数画素加算した電荷信号が生成され、その電荷信号は、アナログ信号処理回路１３に入力される。そして、アナログ信号処理回路１３において所定のアナログ信号処理が行われ、アナログ／デジタル変換回路１４においてデジタル画像データに変換される。
【００４９】
デジタル画像データは、デジタル信号処理回路１５において所定のデジタル信号処理が施され、デジタル信号処理回路１５から出力された画像データは、デジタルエンコーダ１９を介してＬＣＤ２０に与えられることにより、被写体像が可視表示される。
【００５０】
シャッタスイッチ２５が押されると、デジタル信号処理回路１５から出力されたＲＧＢ画像データは、メモリ１６に一時記憶される。そして、ＲＧＢの画像データは、メモリ１６から読み出され、圧縮／伸張回路１７に入力され、圧縮処理が行われる。そして、圧縮された画像データは、メモリカード１８に記録される。
【００５１】
操作スイッチ２４により再生モードが設定されると、メモリカード１８に記録されている圧縮画像データが読み出される。読み出された圧縮画像データは、圧縮／伸長回路１７において伸長される。そして、伸長された画像データが、メモリ１６．デジタル信号処理回路１５およびデジタルエンコーダを介してＬＣＤ２０に与えられることにより、メモリカード１８に記録されていた画像データによって表される画像が表示される。
【図面の簡単な説明】
【００５２】
【図１】本発明の撮像装置の一実施形態を適用したデジタルカメラの電気的構成を示すブロック図
【図２】図１に示すデジタルカメラにおけるＣＣＤの概略構成を示す図
【図３】１行分の電荷を１つずつ転送する過程を示す図
【図４】ＣＣＤの各部の駆動周波数を示す図
【図５】ＣＣＤの水平転送路、分岐部、バッファ部のポテンシャル図
【図６】ＣＣＤを駆動させるための駆動信号のタイミングチャート
【図７】３画素の電荷を加算する場合のポテンシャル図
【図８】垂直方向に２画素間引き２画素加算し、水平方向に２画素加算した場合の画素を示す図
【図９】ＣＣＤに横型オーバーフロードレインを設けた一例を示す図
【図１０】ＣＣＤに横型オーバーフロードレインを設けた一例を示す図
【図１１】ハニカム配列のカラーフィルターを有するＣＣＤを示す図
【符号の説明】
【００５３】
１０  ズームレンズ
１１  シャッタおよび絞り
１２  ＣＣＤ
１３  アナログ信号処理回路
１４  アナログ／デジタル変換回路
１５  デジタル信号処理回路
１６  メモリ
１７  圧縮／伸長回路
１８  メモリカード
１９  デジタルエンコーダ
２０  ＬＣＤ
２１  ストロボ
２２  駆動回路
２３  ＣＰＵ
２４  操作スイッチ
２５  シャッタスイッチ
１０１  フォトダイオード
１０２  垂直転送路
１０３  水平転送路
１０４  分岐部
１０５ａ，１０５ｂ  バッファ部
１０６ａ，１０６ｂ  アンプ
１０７ａ，１０７ｂ  画素加算用バッファ
１０８，１０９ａ，１０９ｂ  横型オーバーフロードレイン
【図１】
2008244738.tif 000003
【図５】
2008244738.tif 000004
【図７】
2008244738.tif 000005
【図２】
2008244738.tif 000006
【図３】
2008244738.tif 000007
【図４】
2008244738.tif 000008
【図６】
2008244738.tif 000009
【図８】
2008244738.tif 000010
【図９】
2008244738.tif 000011
【図１０】
2008244738.tif 000012
【図１１】
2008244738.tif 000013